(57)【要約】【課題】スピーカーの防水性を確保しつつ、明瞭で大きい音を出力可能な電解水生成装置を提供する。【解決手段】電解水生成装置１は、水を電気分解することにより、電解水素水を生成する電解部３２と、電解部３２によって生成された電解水を吐出する吐水部２と、吐水部２に設けられ、電解部３２の動作モードを切り替えるためにユーザーによって操作される操作部２１と、操作部２１を密封状態で収容するケース２４と、ケース２４の内面に固定されたスピーカー２５とを備える。【選択図】  図１
2017159264.tif 000002
【特許請求の範囲】
【請求項１】
水を電気分解することにより、電解水を生成する電解部と、
前記電解部によって生成された電解水を吐出する吐水部と、
前記吐水部に設けられ、前記電解部の動作モードを切り替えるためにユーザーによって操作される操作部と、
前記操作部を密封状態で収容するケースと、
前記ケースの内面に固定されているスピーカーとを備えたことを特徴とする電解水生成装置。
【請求項２】
前記ケースは、前記操作部の前方に位置する前壁と、前記操作部の側方に位置する側壁とを含み、
前記スピーカーは、前記側壁の内面に固定されている請求項１記載の電解水生成装置。
【請求項３】
前記前壁には、前記電解部の動作モードを表示する表示部が設けられている請求項２記載の電解水生成装置。
【発明の詳細な説明】
【技術分野】
【０００１】
本発明は、電解部によって生成された電解水を吐水部から吐出する電解水生成装置に関する。
【背景技術】
【０００２】
従来、電気分解によって水素が溶け込んだ電解水を生成する電解水生成装置が知られている。例えば、特許文献１には、電解水を生成する電解部が流し台の下方に設けられた電解水生成装置が提案されている。
【０００３】
電解水生成装置では、電解部は、種々のモードで動作する。動作モードには、例えば、水素が溶け込んだ電解水を生成する水素水生成モード、酸素が溶け込んだ電解水を生成する酸素水生成モード及び電気分解を行なわずに浄水を供給する浄水モードがある。そして、電解部の動作モードに対応する音を出力するスピーカーを備え、ユーザーの利便性を高めた電解水生成装置が知られている（例えば、特許文献２参照）。
【０００４】
しかしながら、上記特許文献１に示される形態の電解水生成装置において、流し台の下方の電解部にスピーカーが配されている場合、スピーカーから出力された音が小さく不明瞭となる。流し台の上方であっても、吐水部から離れた場所に設置されている電解部にスピーカーが配されている場合も同様である。
【０００５】
一方、吐水部にスピーカーを配する場合、スピーカーの防水性が問題となる。防水性を備えたスピーカーを適用する場合、電解水生成装置のコストアップを招来する。また、防水性を有するケースによってスピーカーを密封する場合、スピーカーの振動がケースの外部の空気に伝わりにくくなり、上記と同様に、電解水生成装置から出力された音が小さく不明瞭となる。
【先行技術文献】
【特許文献】
【０００６】
【特許文献１】特開２０１３−１３８９９６号公報
【特許文献２】特開２０１４−２２６６００号公報
【発明の概要】
【発明が解決しようとする課題】
【０００７】
本発明は、以上のような実状に鑑み案出されたもので、スピーカーの防水性を確保しつつ、明瞭で大きい音を出力可能な電解水生成装置を提供することを主たる目的としている。
【課題を解決するための手段】
【０００８】
本発明の第１発明に係る電解水生成装置は、水を電気分解することにより、電解水を生成する電解部と、前記電解部によって生成された電解水を吐出する吐水部と、前記吐水部に設けられ、前記電解部の動作モードを切り替えるためにユーザーによって操作される操作部と、前記操作部を密封状態で収容するケースと、前記ケースの内面に固定されているスピーカーとを備えたことを特徴とする。
【０００９】
本発明に係る前記電解水生成装置において、前記ケースは、前記操作部の前方に位置する前壁と、前記操作部の側方に位置する側壁とを含み、前記スピーカーは、前記側壁の内面に固定されていることが望ましい。
【００１０】
本発明に係る前記電解水生成装置において、前記前壁には、前記電解部の動作モードを表示する表示部が設けられていることが望ましい。
【発明の効果】
【００１１】
本発明の電解水生成装置では、ケースによって操作部及びスピーカーが密封され、防水性が確保される。スピーカーは、ケースの内面に固定されているので、スピーカーの振動が外壁に伝わりやすくなり、明瞭で大きい音を出力可能となる。
【図面の簡単な説明】
【００１２】
【図１】本発明の第１発明に係る電解水生成装置の一実施形態の概略構成を示す正面図である。
【図２】図１の吐水部の構成を示す分解斜視図である。
【図３】図２のケース及びスピーカーの構成を示す分解斜視図である。
【図４】図２のスピーカーの取付構造を示す半断面図である。
【発明を実施するための形態】
【００１３】
以下、本発明の実施の一形態が図面に基づき説明される。
図１は、本発明の実施形態である電解水生成装置１の概略構成を示している。電解水生成装置１は、飲用又は料理用等の水として用いられる電解水素水を生成する。電解水生成装置１は、水又は湯を吐出する吐水部２と、水の電気分解等を行なう装置本体３とを有する。電解水生成装置１において、吐水部２と装置本体３とは、別々に分離されている。
【００１４】
吐水部２は、湯水混合水栓４と、吐水管５とを有する。吐水部２は、流し台１００の上方に配されている。
【００１５】
湯水混合水栓４は、流し台１００の上面に配される。湯水混合水栓４は、流し台１００の下方から上方に亘って配されている第１給水管７、給湯管８及び第２給水管９と接続されている。第１給水管７は、流し台１００の下方で水道水栓７１に接続されている。第１給水管７は、水道水栓７１から提供された水道水を湯水混合水栓４に供給する。第１給水管７は、例えば、井戸水等の水源の水栓に接続されていてもよい。給湯管８は、流し台１００の下方で湯栓８１に接続されている。湯栓８１は、例えば、給湯器（図示せず）等に接続されている。給湯管８は、湯栓８１から提供された湯を湯水混合水栓４に供給する。第２給水管９は、流し台１００の下方で装置本体３に接続されている。第２給水管９は、湯水混合水栓４から装置本体３に、電気分解の原水となる水道水を供給する。
【００１６】
湯水混合水栓４は、第１給水管７から供給された水又は給湯管８から供給された湯を吐水管５から吐出させる。また、湯水混合水栓４は、第１給水管７から供給された水及び給湯管８から供給された湯を適宜混合することにより、温度を低下させた湯を吐水管５から吐出させる。
【００１７】
湯水混合水栓４には、第１ハンドル４１が設けられている。ユーザーによって第１ハンドル４１が操作されることにより、吐水管５から水又は湯が吐出される。湯水混合水栓４に替えて、水のみを供給する水栓であってもよい。
【００１８】
吐水管５は、湯水混合水栓４に接続されている。吐水管５は、第１給水管７から湯水混合水栓４に供給された水及び給湯管８から湯水混合水栓４に供給された湯を吐出する。
【００１９】
湯水混合水栓４には、第２ハンドル４２が設けられている。ユーザーによって第２ハンドル４２が操作されることにより、第１給水管７から供給された水道水が、湯水混合水栓４及び第２給水管９を経由して、装置本体３に供給される。
【００２０】
装置本体３は、浄水部３１と、電解部３２と、第１制御部３３等を有する。装置本体３は、流し台１００の下方に配されている。装置本体３は、流し台１００の上方に配されていてもよい。装置本体３と湯水混合水栓４とは、上記第２給水管９の他、第１出水管１１及び第２出水管１２によって相互に接続されている。
【００２１】
浄水部３１は、第２給水管９から供給された水道水を浄化して、電解部３２に供給する。浄水部３１は、例えば、交換可能な浄水カートリッジを有する。
【００２２】
電解部３２は、浄水部３１によって浄化された水道水（浄水）を、電気分解する。電解部３２は、電解槽（図示せず）を有する。電解槽は、電解室の中に、陽極給電体、陰極給電体、及び隔膜が配された公知の電解槽を適用できる。
【００２３】
第１出水管１１は、陽極給電体の側の電解室と接続されている。第１出水管１１は、陽極給電体の側の電解室で生成された電解酸素水を湯水混合水栓４に供給する。第２出水管１２は、陰極給電体の側の電解室で生成された電解水素水を湯水混合水栓４に供給する。湯水混合水栓４は、第１出水管１１から供給された電解酸素水及び第２出水管１２から供給された電解水素水のうち、一方を吐水管５に送出すると共に、他方を排水管１０から排出させる。
【００２４】
吐水部２には、湯水混合水栓４に接続された吐水管５に加えて、電解部３２から供給された水を吐出する吐水管が別途備えられていてもよい。この場合、別途備えられた当該吐水管には、第１出水管１１又は第２出水管１２が接続される。
【００２５】
第１制御部３３は、装置本体３を含む電解水生成装置１の全体の制御を司る。例えば、第１制御部３３は、各給電体の極性及び各給電体に印加する電解電流を制御する。第１制御部３３が各給電体の極性を制御することにより、電解部３２の動作モードが切り替えられる。
【００２６】
電解部３２の動作モードは、「電解水素水モード（還元水モード）」、「電解酸素水モード（酸性水モード）」及び「浄水モード」を含む。「電解水素水モード」は、第２出水管１２から供給された電解水素水を吐水管５から吐出させるモードである。「電解酸素水モード」は、第１出水管１１から供給された電解酸素水を吐水管５から吐出させるモードである。「浄水モード」は、浄水部３１によって浄化された浄水を電気分解せずに電解部３２を通過させ、吐水管５から吐出させるモードである。
【００２７】
図２は、吐水部２の構成を示している。吐水部２は、操作部２１と、表示部２２と、第２制御部２３と、ケース２４と、スピーカー２５とを有する。
【００２８】
操作部２１は、吐水部２に設けられている。操作部２１は、湯水混合水栓４の前方、すなわち、第１ハンドル４１及び第２ハンドル４２を操作するユーザーの側に設けられている。本実施形態では、いわゆるタッチパネル式の操作部２１が採用されている。操作部２１は、ユーザーの指先等の接触を検知するタッチセンサー２１ａを有する。タッチセンサー２１ａは、操作部２１の裏面に配されている。本実施形態では、上記各動作モードに対応する３つのタッチセンサー２１ａが設けられている。操作部２１は、ユーザーの操作に対応する電気信号を第２制御部２３に出力する。
【００２９】
表示部２２は、光を出力して画像を表示する。表示部２２は、操作部２１の後方であって、第２制御部２３を構成する回路基板２３ａの前方に設けられている。ケース２４と表示部２２とによって、操作部２１は挟持されている。
【００３０】
第２制御部２３は、ケーブル２６（図１参照）を介して、第１制御部３３と接続されている。ユーザーが操作部２１を操作することにより、操作部２１から出力された電気信号は、第２制御部２３を経由して、第１制御部３３に転送される。第１制御部３３は、第２制御部２３から転送された電気信号に基づいて、電解部３２を制御することにより、電解部３２の動作モードを切り替えることができる。
【００３１】
ケース２４は、操作部２１、表示部２２、第２制御部２３及びスピーカー２５を収容する外壁２８を有する。外壁２８は、操作部２１、表示部２２、第２制御部２３及びスピーカー２５の前方及び側方に連続して配され、湯水混合水栓４の外壁４ａに固着される。外壁２８によって、操作部２１等が、密封状態で収容される。
【００３２】
図３及び４は、ケース２４及びスピーカー２５の構成を示している。本実施形態では、ケース２４は、第１ケース５１と第２ケース５２とを有する。第１ケース５１及び第２ケース５２は、例えば、合成樹脂材料等により別々に成形された後、一体化される。
【００３３】
第１ケース５１は、ケース２４の枠を構成する。第１ケース５１は、操作部２１、表示部２２及び第２制御部２３（図２参照）の前方に位置する前壁５３と、操作部２１、表示部２２及び第２制御部２３の側方に位置する側壁５４とを含む。また、第１ケース５１は、操作部２１の前方から上方及び下方に亘って形成された開口５５を有する。
【００３４】
第２ケース５２は、操作部２１、表示部２２及び第２制御部２３の前方に位置する前壁５６を含む。前壁５６は、タッチパネルの表面に位置されるカバー部材を構成する。前壁５６は、開口５５に対応する形状に形成されている。前壁５６と開口５５との嵌合により、第１ケース５１と第２ケース５２との間で密閉性が確保される。
【００３５】
第１ケース５１の前壁５３、側壁５４及び第２ケース５２の前壁５６によって、ケース２４の外壁２８が構成される。
【００３６】
スピーカー２５は、各種の音を出力する。例えば、スピーカー２５は、電解部３２の動作モードに対応する音を出力する。スピーカー２５に入力される音声信号は、第２制御部２３又は第１制御部３３に格納されている。ユーザーによって第２ハンドル４２が操作されたとき、第２制御部２３は、電解部３２の動作モードに対応する音声信号をスピーカー２５に出力する。これにより、ユーザーは、吐水管５から吐出される水の種類を音によって確認することができ、電解水生成装置１の利便性が高められる。
【００３７】
スピーカー２５は、外壁２８の一部である側壁５４の内面５４ａに固定されている。これにより、スピーカー２５の振動が外壁２８に伝わりやすくなり、ケース２４から明瞭で大きい音が出力可能となる。すなわち、スピーカー２５の振動板２５ａの振動が、直接側壁５４に伝えられ、側壁５４から前壁５３等に伝えられる。これにより、振動板２５ａよりも表面積の大きい外壁２８の略全体が振動し、その外側の空気を振動させるので、音が増幅される。そして、外壁２８とユーザーとの間には、空気の振動を遮る障害物が存在しないので、明瞭で大きい音がユーザーに伝達されるようになる。なお、スピーカー２５の振動板２５ａは、ケース２４に直接振動を伝えられるように、側壁５４に接触されているのが望ましいが、僅かな隙間を隔てて側壁５４に対向して配置されていてもよい。
【００３８】
本実施形態では、操作部２１は、前壁５３に設けられ、スピーカー２５は、側壁５４に設けられている。これにより、前壁５３を小型化することが可能となり、ケース２４のデザイン性が高められる。また、操作部２１を大型化することにより、操作性が高められる。
【００３９】
本実施形態では、表示部２２は、前壁５３の内側に配されている。表示部２２は、第２制御部２３によって制御され、電解部３２の動作モードを表示する。そして、操作部２１及び第２ケース５２は、透光性を有する材料等によって構成されている。操作部２１及び第２ケース５２は、表示部２２によって表示された画像をユーザーが視認できるように透過する。従って、表示部２２によって操作部２１の操作性が高められる。また、電解水生成装置１において、動作モードを表わす画像が表示されている部分と、音が出力される部分とが接近しているため、ユーザーは、画像と音とを直感的に関連付けて認識することが容易となり、電解水生成装置１の使い勝手が高められる。
【００４０】
本実施形態では、外壁２８によって、操作部２１及びスピーカー２５を収容する空間が密封されているので、スピーカー２５自体が防水性を有している必要はない。従って、空気を振動させる振動板２５ａと、振動板２５ａを駆動する駆動部２５ｂと、振動板２５ａ及び駆動部２５ｂを支持するフレーム２５ｃを有する安価な通常構造のスピーカー２５が適用されうる。
【００４１】
このようなスピーカー２５は、例えば、側壁５４の内面５４ａから第１ケース５１の内方に突出した突出部５７によって固定されている。側壁５４の内面５４ａと突出部５７とが、フレーム２５ｃを挟持することにより、簡素な構成でスピーカー２５を内面５４ａに組み込むことが可能となり、電解水生成装置１の製造工程が簡素化される。また、スピーカー２５を内面５４ａに強固に組み込むことが可能となり、振動板２５ａの振動が、側壁５４に伝わり易くなり、外壁２８からユーザーに明瞭で大きい音が伝達されるようになる。
【００４２】
以上、本実施形態の電解水生成装置１等が詳細に説明されたが、本発明は上記の具体的な実施形態に限定されることなく種々の態様に変更して実施される。すなわち、電解水生成装置１は、少なくとも、水を電気分解することにより、電解水を生成する電解部３２と、電解部３２によって生成された電解水を吐出する吐水部２と、吐水部２に設けられ、電解部３２の動作モードを切り替えるためにユーザーによって操作される操作部２１と、操作部２１を密封状態で収容するケース２４と、ケース２４の内面に固定されたスピーカー２５とを備えていればよい。
【００４３】
従って、スピーカー２５は、ケース２４の前壁５３の内面に固定されていてもよい。この場合、振動板２５ａの振動が、直接前壁５３に伝えられるので、より大きい音を出力可能となる。
【符号の説明】
【００４４】
１    電解水生成装置
２    吐水部
４    湯水混合水栓
５    吐水管
２１    操作部
２２  表示部
２４    ケース
２５    スピーカー
３２    電解部
１００    流し台
【図１】
2017159264.tif 000003
【図２】
2017159264.tif 000004
【図３】
2017159264.tif 000005
【図４】
2017159264.tif 000006
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
水を電気分解することにより、電解水を生成する電解部と、
前記電解部によって生成された電解水を吐出する吐水部と、
前記吐水部に設けられ、前記電解部の動作モードを切り替えるためにユーザーによって操作される操作部と、
前記操作部を密封状態で収容するケースと、
振動板と、前記振動板を支持するフレームとを有するスピーカーとを備え、
前記ケースは、前記内面から該ケースの内方に突出する突出部を有し、
前記フレームが前記内面と前記突出部とによって挟持されることにより、前記スピーカーが前記ケースの内面に接触する状態で固定されていることを特徴とする電解水生成装置。
【請求項２】
前記ケースは、前記操作部の前方に位置する前壁と、前記操作部の側方に位置する側壁とを含み、
前記突出部は、前記側壁の内面から前記ケースの内方に突出する請求項１記載の電解水生成装置。
【請求項３】
前記操作部の後方には、前記電解部の動作モードを表示する表示部が設けられている請求項２記載の電解水生成装置。
【手続補正書】
【提出日】平成29年7月5日(2017.7.5)
【手続補正１】
【補正対象書類名】特許請求の範囲
【補正対象項目名】請求項１
【補正方法】変更
【補正の内容】
【請求項１】
水を電気分解することにより、電解水を生成する電解部と、
前記電解部によって生成された電解水を吐出する吐水部と、
前記吐水部に設けられ、前記電解部の動作モードを切り替えるためにユーザーによって操作される操作部と、
前記操作部を密封状態で収容するケースと、
振動板と、前記振動板を支持するフレームとを有するスピーカーとを備え、
前記ケースは、前記ケースの内面から該ケースの内方に突出する突出部を有し、
前記フレームが前記内面と前記突出部とによって挟持されることにより、前記スピーカーが前記ケースの内面に接触する状態で固定されていることを特徴とする電解水生成装置。